(57)【要約】【課題】本発明は、粒子状物質を種類によらず高効率で除去及び不活化することができる電界生成装置及びそれを備えた空気調和機、空気清浄機、送風機を提供することを目的とする。【解決手段】電界生成装置は、電界生成エレメント１０と、高圧電源１６と、センサ２と、制御部１７と、を備えている。電界生成エレメント１０は、電圧を印加されることで電界を生成する。高圧電源１６は、電界生成エレメント１０に電圧を印加する。センサ２は、空気中の粒子状物質を検知する。制御部１７は、センサ２の検知結果に基づいて、高圧電源１６から電界生成エレメント１０に印加される電圧をパルス状電圧又は直流電圧に切り替える。【選択図】図６
2014209985.tif 000002
【特許請求の範囲】
【請求項１】
電圧を印加されることで電界を生成する電界生成エレメントと、
前記電界生成エレメントに電圧を印加する高圧電源と、
空気中の粒子状物質を検知するセンサと、
前記センサの検知結果に基づいて、前記高圧電源から前記電界生成エレメントに印加される電圧をパルス状電圧又は直流電圧に切り替える制御部と、
を備えた電界生成装置。
【請求項２】
前記制御部は、前記センサにより検知された粒子状物質がウイルス若しくは細菌であると判定された場合は、前記高圧電源から前記電界生成エレメントにパルス状電圧を印加させる請求項１に記載の電界生成装置。
【請求項３】
前記制御部は、前記センサにより検知された粒子状物質がウイルス若しくは細菌でないと判定された場合は、前記高圧電源から前記電界生成エレメントに直流電圧を印加させる請求項１又は２に記載の電界生成装置。
【請求項４】
前記センサにより検知された粒子状物質がウイルス若しくは細菌であるか否かの判定を行う粒子判定部を備え、
前記粒子判定部は、前記センサにより検知された粒子状物質の粒子径、形状、色のうち少なくとも１つに基づいて判定を行う請求項１乃至３のいずれか１項に記載の電界生成装置。
【請求項５】
前記制御部は、前記高圧電源の１次側に電圧を供給し、
前記高圧電源は、前記制御部から供給される電圧の変化と連動して前記電界生成エレメントに印加する電圧を変化させる請求項１乃至４のいずれか１項に記載の電界生成装置。
【請求項６】
前記高圧電源として、
前記電界生成エレメントにパルス状電圧を印加する第１の高圧電源と、
前記電界生成エレメントに直流電圧を印加する第２の高圧電源と、
を備え、
前記制御部は、前記電界生成エレメントに電圧を印加する前記高圧電源を前記第１の高圧電源又は前記第２の高圧電源に切り替える請求項１乃至５のいずれか１項に記載の電界生成装置。
【請求項７】
前記高圧電源は、波高値が４〜７ｋＶで周波数が１０〜１０００Ｈｚであるパルス状電圧を前記電界生成エレメントに印加する請求項１乃至６のいずれか１項に記載の電界生成装置。
【請求項８】
請求項１乃至７のいずれか１項に記載の電界生成装置を備えた空気調和機。
【請求項９】
請求項１乃至７のいずれか１項に記載の電界生成装置を備えた空気清浄機。
【請求項１０】
請求項１乃至７のいずれか１項に記載の電界生成装置を備えた送風機。
【発明の詳細な説明】
【技術分野】
【０００１】
本発明は、電界生成装置及びこれを備えた空気調和機、空気清浄機、送風機に関するものである。
【背景技術】
【０００２】
下記特許文献１には、高圧電源と、高圧側電極と、集塵側電極と、を備えた空気清浄装置が記載されている。この空気清浄装置は、帯電した粒子を集塵側電極で捕集する。また、下記特許文献２には、高電圧印加装置と、放電電極と、対向電極と、を備えた浄化装置が記載されている。この浄化装置は、放電電極と対向電極との間にパルス波形の高電圧を印加してストリーマ放電を発生させる。
【先行技術文献】
【特許文献】
【０００３】
【特許文献１】特開平６−２９６８９８号公報
【特許文献２】特開２００４−３５０８９１号公報
【発明の概要】
【発明が解決しようとする課題】
【０００４】
特許文献１に記載の空気清浄装置では、一定の高電圧で空気中の粒子状物質を帯電させているため、粒子状物質の種類によっては除去性能が悪くなるという課題があった。また、特許文献２に記載の浄化装置では、アレルゲン物質の除去及び不活化が困難であるという課題があった。
【０００５】
本発明は、上記のような課題を解決するためになされたものである。その目的は、粒子状物質を、その種類によらず高効率で除去及び不活化することができる電界生成装置及びそれを備えた空気調和機、空気清浄機、送風機を提供することである。
【課題を解決するための手段】
【０００６】
本発明に係る電界生成装置は、電圧を印加されることで電界を生成する電界生成エレメントと、電界生成エレメントに電圧を印加する高圧電源と、空気中の粒子状物質を検知するセンサと、センサの検知結果に基づいて、高圧電源から電界生成エレメントに印加される電圧をパルス状電圧又は直流電圧に切り替える制御部と、を備えたものである。
【発明の効果】
【０００７】
本発明によれば、電界生成装置において、粒子状物質を、その種類によらず高効率で除去及び不活化することができる。
【図面の簡単な説明】
【０００８】
【図１】本発明の実施の形態１における空気調和機の正面斜視図である。
【図２】本発明の実施の形態１における空気調和機の縦断面図である。
【図３】本発明の実施の形態１における電界生成エレメント１０の縦断面図である。
【図４】本発明の実施の形態１における電界生成エレメント１０を駆動する部位の構成図である。
【図５】本発明の実施の形態１における電界生成装置の構成図である。
【図６】本発明の実施の形態１における電界生成装置の駆動時の動作を示すフローチャートである。
【図７】本発明の実施の形態２における電界生成エレメント１０を駆動する部位の構成図である。
【図８】本発明の実施の形態２における電界生成装置の駆動時の動作を示すフローチャートである。
【図９】本発明の実施の形態３における空気調和機の正面斜視図である。
【発明を実施するための形態】
【０００９】
添付の図面を参照して、本発明を詳細に説明する。各図では、同一又は相当する部分に同一の符号を付している。重複する説明は、適宜簡略化あるいは省略する。
【００１０】
実施の形態１．
図１は、本実施の形態における空気調和機の正面斜視図である。図１に示すように、本体１００は、横長の略直方体状に形成されている。なお、本体１００とは、空気調和機の室内機の本体である。本体１００の上面には、空気吸込口１が設けられている。本体１００の側面には、センサ２が設けられている。センサ２は、空気中に浮遊している粒子状物質を検知する。本体１００の前面には、人体検知センサ３が設けられている。人体検知センサ３は、室内にいる人を検知する。本体１００の前面下部には、空気吹出口４が設けられている。
【００１１】
空気吹出口４内には、断面が円弧状の上下風向板５が設けられている。上下風向板５は、本体１００を正面から見て長手方向の略中央で左右に２分割されている。換言すれば、上下風向板５は、空気吹出口４を正面から見て左右方向の略中央で２分割されている。２分割された上下風向板５は、空気吹出口４内で、僅かな隙間を隔てて左右に配置されている。また、上下風向板５は、本体１００を正面から見て手前側と奥側とに設置されている。手前側の上下風向板５と奥側の上下風向板５は、隙間を隔てて対向している。手前側の上下風向板５には、奥側の上下風向板５と対向する位置に支持腕が設けられている。また、奥側の上下風向板５には、手前側の上下風向板５と対向する位置に支持腕が設けられている。これらの支持腕には、支柱がピンにより回転自在に取り付けられている。このように形成された上下風向板５により、空気吹出口４から吹出す風の上下方向の吹出し角度が調整される。
【００１２】
図２は、本実施の形態における空気調和機の縦断面図である。図２に示すように、空気吸込口１の内側には、プレフィルター６が設けられている。本体１００の内部には、熱交換器７が設けられている。熱交換器７は、通過する空気を冷やしたり暖めたりする。また、本体１００の内部には、送風ファン８が設けられている。送風ファン８は、空気吸込口１から室内空気を吸込み、空気吹出口４から室内に風を吹出す。換言すれば、送風ファン８は、本体１００の内部に空気の流れを発生させる。送風ファン８の風上には、空気吹出口４に至る風路が形成されている。空気吹出口４の内側には、左右風向板９が設けられている。左右風向板９により、空気吹出口４から吹出す風の左右方向の吹出し角度が調整される。さらに、本体１００の内部には、電界生成エレメント１０が設けられている。電界生成エレメント１０は、プレフィルター６の風下かつ熱交換器７の風上に配置されている。送風ファン８が駆動すると、空気吸込口１から吸込まれた空気は、プレフィルター６、熱交換器７、送風ファン８、風路、空気吹出口４の順に通過し、室内に風として吹き出される。このとき、空気吸込口１から吸込まれた空気の一部は、プレフィルター６、電界生成エレメント１０、熱交換器７、送風ファン８、風路、空気吹出口４の順に通過し、室内に風として吹き出される。
【００１３】
図３は、電界生成エレメント１０の縦断面図である。以下、図３を参照して、電界生成エレメント１０の構造を説明する。なお、ここでは、図３における左側を上方として方向を指定する。
【００１４】
電界生成エレメント１０は、上部フレーム１１、下部フレーム１２、取っ手１３を備えている。上部フレーム１１は、電界生成エレメント１０の最も風上側の部分を構成している。下部フレーム１２は、電界生成エレメント１０の最も風下側の部分を構成している。取っ手１３は、例えば、人が電界生成エレメント１０を手で持つ際等に掴むためのものである。
【００１５】
上部フレーム１１は、例えば、全体が樹脂によって形成される。上部フレーム１１の上面には、開口が形成されている。この開口は、外部の空気を電界生成エレメント１０の内部に取り込むためのものである。この開口は、上部フレーム１１の上面に、一定の幅及び一定の奥行にわたって形成されている。また、この開口は、格子によって区切られている。この格子は、例えば、人の指が開口から電界生成エレメント１０の内部に入らないようにするために設けられている。
【００１６】
下部フレーム１２は、例えば、全体が樹脂によって形成される。下部フレーム１２の下面には、上部フレーム１１と同様の格子状の開口が形成されている。この開口は、上部フレーム１１の開口から電界生成エレメント１０の内部に取り込まれた空気を、外部に排出するためのものである。
【００１７】
また、電界生成エレメント１０は、放電電極１４を備えている。放電電極１４は、上部フレーム１１と下部フレーム１２との間に配置されている。
【００１８】
放電電極１４は、金属製の長尺な板状部材である放電部材によって形成されている。放電部材の両端部には、輪形状の端子が、圧着若しくは溶接によって取り付けられている。放電部材には、圧着部若しくは溶接部から放電部材の長手方向に、一定の長さを持つ電気絶縁性のチューブが取り付けられている。
【００１９】
放電部材を構成する金属としては、例えば、タングステン、銅、ニッケル、ステンレス、亜鉛、鉄、モリブデン等が好適である。放電部材は、上記金属を主成分とする合金で構成してもよい。また、放電部材は、上記金属の表面に銀、金、白金等の貴金属をメッキしたものでもよい。あるいは、放電部材は、上記金属の表面に炭素（グラファイト）層、酸化膜等を形成したものでもよい。
【００２０】
放電部材は、その断面が、短辺及び長辺によって周囲が囲まれた矩形形状を呈する。放電部材の断面は、例えば、短辺の長さが０．０１乃至０．１ｍｍであり、長辺の長さが０．１乃至１．０ｍｍである。
【００２１】
また、電界生成エレメント１０は、対向電極１５を備えている。対向電極１５は、上部フレーム１１の開口面及び下部フレーム１２の開口面に対して一定の角度で傾斜するように、斜めに配置されている。ここでは、対向電極１５は、上部フレーム１１の開口面に対して４５乃至６０度の角度を有するように配置されている。対向電極１５を斜めに配置することで、電界生成エレメント１０を本体１００の内部に設置したときに、空気吸込口１から流入する空気を少ない抵抗で通過させることが可能となる。
【００２２】
対向電極１５は、金属製の板状部材に、切断と曲げ加工とを行うことによって製作される。対向電極１５を構成する金属としては、例えば、タングステン、銅、ニッケル、ステンレス、亜鉛、鉄、モリブデン等が好適である。対向電極１５は、上記金属を主成分とする合金で構成してもよい。また、対向電極１５は、上記金属の表面に銀、金、白金等の貴金属をメッキしたものでもよい。
【００２３】
図４は、本実施の形態における電界生成エレメント１０を駆動する部位の構成図である。図４に示すように、電界生成エレメント１０は、高圧電源１６と電気的に接続されている。高圧電源１６は、電界生成エレメント１０に高電圧を印加する。高圧電源１６は、制御部１７と接続されている。制御部１７は、高圧電源１６の１次側に電圧を供給し、高圧電源１６から高電圧を出力させる。高圧電源１６は、制御部１７から１次側に供給される電圧の変化と連動して、電界生成エレメント１０に印加する出力電圧を変化させる。つまり、制御部１７から直流電圧が供給された場合、高圧電源１６は、電界生成エレメント１０に直流電圧を印加する。換言すれば、この場合、高圧電源１６は、電界生成エレメント１０に一定の電圧をかけ続ける。一方、制御部１７からパルス状電圧が供給された場合、高圧電源１６は、電界生成エレメント１０にパルス状電圧を印加する。
【００２４】
次に、電界生成エレメント１０の動作について説明する。送風ファン８が駆動すると、室内の空気中に浮遊しているウイルス、細菌、かび、花粉、アレルゲン物質等の粒子状物質が本体１００の内部に吸引される。これらの粒子状物質は、電界生成エレメント１０を通過する。電界生成エレメント１０の放電電極１４には、高圧電源１６から出力される高電圧が印加される。電界生成エレメント１０の対向電極１５は接地されている。このため、放電電極１４と対向電極１５との間には、放電及び電界空間が形成される。電界生成エレメント１０を通過する粒子状物質には、放電と電界が加わる。これらの粒子状物質は、放電と電界により除去及び不活化される。
【００２５】
浮遊している粒子状物質を除去及び不活化する効率は、粒子状物質の種類と電界生成エレメント１０に印加される電圧の波形によって異なる。粒子状物質がウイルス若しくは細菌である場合は、電界生成エレメント１０にパルス状電圧を印加するほうが、直流電圧を印加するよりも除去及び不活化する性能が高い。一方、粒子状物質がウイルス若しくは細菌以外である場合は、電界生成エレメント１０に直流電圧を印加するほうが望ましい。
【００２６】
一例として、浮遊している粒子状物質がインフルエンザウイルスである場合について説明する。なお、電界生成エレメント１０には、風速１ｍ／ｓで空気を通風させる。このとき、電界生成エレメント１０に直流６ｋＶを印加した場合の除去及び不活化率は９０％である。一方、電界生成エレメント１０に同電圧で周波数１００Ｈｚのパルスを印加した場合は、除去及び不活化率は９９％となる。パルス状電圧としては、波高値が４〜７ｋＶの正若しくは負の電圧であり、周波数１０Ｈｚ〜１０００Ｈｚのものがよい。このようなパルス状電圧の場合、波高値が４〜７ｋＶの正若しくは負の直流電圧よりも、ウイルス若しくは細菌の除去及び不活化率が良くなる。
【００２７】
図５は、本実施の形態における電界生成装置の構成図である。以下、主に図５を参照して、粒子状物質の種類の判定について説明する。
【００２８】
図１及び図２に示すように、本体１００の側面にはセンサ２が設けられている。センサ２は、浮遊している粒子状物質の粒子径、形状、色等を検知する。センサ２は、例えば、１つの発光部と２つの受光部を搭載し、粒子状物質を光学的に検知する。この場合、センサ２は、粒子状物質の大きさである粒子径を光散乱により検知し、形状及び表面状態が反映される偏光度を算出する。また、センサ２は、粒子状物質に対して紫外線を照射することで、発生する蛍光の色を測定する。
【００２９】
図５に示すように、電界生成装置は、粒子判定部１８及び記憶部１９を備えている。記憶部１９は、粒子状物質の種類を判定するための基準となる判定テーブルを記憶している。粒子判定部１８は、センサ２により検知された粒子状物質の粒子径、形状、色等の情報を受信する。そして、粒子判定部１８は、センサ２から受信した情報と、記憶部１９に記憶されている判定テーブルとに基づいて、浮遊している粒子状物質がウイルス若しくは細菌であるか否かを判定する。さらに、粒子判定部１８は、判定結果を制御部１７に送信する。制御部１７は、この判定結果に基づいて、高圧電源１６に供給する電圧を変化させる。
【００３０】
図６は、本実施の形態における電界生成装置の駆動時の動作を示すフローチャートである。以下、図６を参照して、電界生成装置の動作を説明する。
【００３１】
本体１００がリモコン等により稼動開始すると、送風ファン８、上下風向板５及び左右風向板９が稼動する（ステップＳ１０１）。このとき、送風ファン８、上下風向板５及び左右風向板９は、使用者の設定に従って調整される。
【００３２】
ステップＳ１０１と同時に、センサ２は、室内に浮遊している粒子状物質を検知する（ステップＳ１０２）。粒子判定部１８は、センサ２により検知された粒子状物質がウイルス若しくは細菌か、それ以外か判定する（ステップＳ１０３）。このとき、粒子判定部１８は、記憶部１９に記憶されている判定テーブルに基づいて判定を実施する。
【００３３】
ステップＳ１０３において、粒子状物質がウイルス若しくは細菌以外であると判定された場合、制御部１７は、高圧電源１６に直流の信号（電圧）を発信する（ステップＳ１０４）。一方、粒子状物質がウイルス若しくは細菌であると判定された場合、制御部１７は、高圧電源１６にパルスの信号（電圧）を発信する（ステップＳ１０５）。その結果、高圧電源１６が駆動する（ステップＳ１０６）。高圧電源１６は、制御部１７からの信号に基づいて、直流若しくはパルス状の電圧を出力し、電界生成エレメント１０を駆動させる。その後、ステップＳ１０２以降の動作を運転停止まで繰り返す。
【００３４】
上述したとおり、本実施の形態では、制御部１７が、粒子判定部１８の判定結果に基づいて、高圧電源１６に供給する電圧を変化させる。このため、高圧電源１６から電界生成エレメント１０に印加される電圧は、粒子判定部１８の判定結果に基づいて変化する。これにより、浮遊している粒子状物質の種類に合わせて、最も除去及び不活化効果が高い電圧で電界生成エレメント１０を動作させることができる。その結果、清浄化性能が向上し、短時間で効率的に室内の空気を清浄化することができる。
【００３５】
また、上述したとおり、本実施の形態では、浮遊している粒子状物質がウイルス若しくは細菌であると判定された場合は、電界生成エレメント１０にパルス状電圧を印加する。一方、浮遊している粒子状物質がウイルス若しくは細菌以外であると判定された場合は、電界生成エレメント１０に直流電圧を印加する。このため、粒子状物質がウイルス若しくは細菌であっても、それ以外のものであっても、高い除去及び不活化効果を得ることができる。その結果、清浄化性能が向上し、短時間で効率的に室内の空気を清浄化することができる。
【００３６】
また、上述したとおり、本実施の形態では、センサ２が検知した粒子状物質の粒子径、形状、色等に基づいて、粒子判定部１８が粒子状物質の種類を判定する。このため、効率よく粒子状物質を判別することができる。その結果、清浄化性能が向上し、短時間で効率的に室内の空気を清浄化することができる。
【００３７】
また、上述したとおり、本実施の形態では、高圧電源１６が、制御部１７から１次側に供給される電圧の変化と連動して、電界生成エレメント１０に印加する出力電圧を変化させる。このため、高圧電源１６の仕様を変更する必要がなく、安価に装置を構成することができる。
【００３８】
また、上述したとおり、本実施の形態では、対向電極１５が金属板から製作されている。このため、樹脂成形によって製作する場合と比較して、対向電極１５を精密に形成することができる。また、対向電極１５を金属板から製作すれば、上部フレーム１１の開口面に対する傾斜が経年によって変化してしまうことも、大幅に抑制することができる。
【００３９】
本実施の形態では、対向電極１５は、上部フレーム１１の開口面に対して斜めに配置されている。しかし、対向電極１５は、電界生成エレメント１０を本体１００の内部に設置したときに、空気吸込口１から流入する空気を少ない抵抗で通過させることができれば、斜めでなくてもよい。対向電極１５は、空気の流れに沿った角度とするのが望ましい。
【００４０】
また、本実施の形態では、センサ２は、浮遊している粒子状物質の粒子径、形状、色等を検知する。そして、粒子判定部１８は、これらの情報を受信し、これらの情報に基づいて粒子状物質の種類を判定する。しかし、センサ２が、これらの情報のいずれか若しくはいくつかを検知することとしてもよい。また、粒子判定部１８が、これらの情報のいずれか若しくはいくつかを受信することとしてもよい。さらに、粒子判定部１８が、これらの情報のいずれか若しくはいくつかに基づいて粒子状物質の種類を判定することとしてもよい。その結果、より簡単にセンサ２又は粒子判定部１８を構成することができる。
【００４１】
実施の形態２．
図７は、本実施の形態における電界生成エレメント１０を駆動する部位の構成図である。本実施の形態は、高圧電源の構成及び制御部１７の動作を除いて、実施の形態１と同様である。以下、実施の形態１との相違点を中心に説明し、実施の形態１と同じ部分にはこれと同じ符号を付して、一部の説明を省略する。
【００４２】
図７に示すように、本実施の形態では、第１の高圧電源１６ａ及び第２の高圧電源１６ｂが設けられている。高圧電源１６ａ及び第２の高圧電源１６ｂは、制御部１７と接続されている。第１の高圧電源１６ａは、制御部１７から直流の信号（電圧）を受けることで、直流電圧を出力する。第２の高圧電源１６ｂは、制御部１７から直流の信号（電圧）を受けることで、パルス状電圧を出力する。
【００４３】
第１の高圧電源１６ａ及び第２の高圧電源１６ｂと、電界生成エレメント１０との間には、切替部２０が設けられている。電界生成エレメント１０は、切替部２０により、第１の高圧電源１６ａ及び第２の高圧電源１６ｂのいずれか一方と接続される。切替部２０は、制御部１７により制御される。
【００４４】
図８は、本実施の形態における電界生成装置の駆動時の動作を示すフローチャートである。以下、図８を参照して、電界生成装置の動作を説明する。
【００４５】
本体１００がリモコン等により稼動開始すると、送風ファン８、上下風向板５及び左右風向板９が稼動する（ステップＳ２０１）。このとき、送風ファン８、上下風向板５及び左右風向板９は、使用者の設定に従って調整される。
【００４６】
ステップＳ２０１と同時に、センサ２は、室内に浮遊している粒子状物質を検知する（ステップＳ２０２）。粒子判定部１８は、センサ２により検知された粒子状物質がウイルス若しくは細菌か、それ以外か判定する（ステップＳ２０３）。このとき、粒子判定部１８は、記憶部１９に記憶されている判定テーブルに基づいて判定を実施する。
【００４７】
ステップＳ２０３において、粒子状物質がウイルス若しくは細菌以外であると判定された場合、制御部１７は、切替部２０により第１の高圧電源１６ａと電界生成エレメント１０とを接続させる（ステップＳ２０４）。このとき、第２の高圧電源１６ｂは、電気的に電界生成エレメント１０と切り離される。
【００４８】
ステップＳ２０３において、粒子状物質がウイルス若しくは細菌であると判定された場合、制御部１７は、切替部２０により第２の高圧電源１６ｂと電界生成エレメント１０とを接続させる（ステップＳ２０５）。このとき、第１の高圧電源１６ａは、電気的に電界生成エレメント１０と切り離される。
【００４９】
ステップＳ２０４又はステップＳ２０５に続いて、制御部１７は、直流の信号（電圧）を発信する（ステップＳ２０６）。その結果、第１の高圧電源１６ａ若しくは第２の高圧電源１６ｂが駆動する（ステップＳ２０７）。これにより、直流若しくはパルス状の電圧が出力され、電界生成エレメント１０が駆動される。その後、ステップＳ２０２以降の動作を運転停止まで繰り返す。
【００５０】
上述したとおり、本実施の形態における電界生成装置は、直流電圧を出力する第１の高圧電源１６ａと、パルス状電圧を出力する第２の高圧電源１６ｂとを備えている。そして、制御部１７は、粒子判定部１８の判定結果に基づいて、電界生成エレメント１０と接続する高圧電源を切替部２０により切り替える。このため、電界生成エレメント１０に印加する電圧を確実に変化させることができる。これにより、浮遊している粒子状物質の種類に合わせて、最も除去及び不活化効果が高い電圧で電界生成エレメント１０を動作させることができる。その結果、清浄化性能が向上し、短時間で効率的に室内の空気を清浄化することができる。
【００５１】
実施の形態３．
実施の形態１及び２では、図１及び図２に示す壁掛け型の空気調和機に電界生成装置を搭載している。しかし、電界生成装置は、他の構成の空気調和機、空気清浄機、送風機に搭載することも可能である。本実施の形態では、壁掛け型に代えて、天井埋め込み型の空気調和機に電界生成装置を搭載することとした。
【００５２】
図９は、本実施の形態における空気調和機の正面斜視図である。天井埋め込み型の空気調和機でも、実施の形態１及び２と同様に、空気吸込口１の内側には、図示しないプレフィルター６が設けられている。本体１００の内部には、図示しない熱交換器７が設けられている。熱交換器７は、通過する空気を冷やしたり暖めたりする。また、本体１００の内部には、図示しない送風ファン８が設けられている。送風ファン８は、空気吸込口１から室内空気を吸込み、空気吹出口４から室内に風を吹出す。さらに、空気吸込口１の内側には、プレフィルター６の風下かつ熱交換器７の風上に、電界生成エレメント１０が設けられている。送風ファン８が駆動すると、空気吸込口１から吸込まれた空気は、プレフィルター６、電界生成エレメント１０、熱交換器７、送風ファン８、風路、空気吹出口４の順に通過し、室内に風として吹き出される。
【００５３】
図９に示すように、本実施の形態では、センサ２は、空気吸込口１の横に設置されている。その他の構造、動作は実施の形態１及び２と同様である。
【００５４】
上述したとおり、本実施の形態では、天井埋め込み型の空気調和機に電界生成装置を搭載しているが、実施の形態１及び２と同様の動作をすることで、同様の効果を得ることができる。すなわち、浮遊している粒子状物質の種類に合わせて、最も除去及び不活化効果が高い電圧で電界生成エレメント１０を動作させることができる。その結果、清浄化性能が向上し、短時間で効率的に室内の空気を清浄化することができる。
【００５５】
実施の形態１、２及び３では、電界生成装置を空気調和機に搭載しているが、空気清浄機、送風機等に搭載することもできる。
【産業上の利用可能性】
【００５６】
この発明に係る電界生成装置は、例えば、家庭のリビング、オフィス、店舗等の各種空気調和機、空気清浄機、送風機に搭載することができる。また、エレベータ、ダクト等にファンを設けることでも搭載することができる。
【符号の説明】
【００５７】
１  空気吸込口、２  センサ、３  人体検知センサ、４  空気吹出口、５  上下風向板、６  プレフィルター、７  熱交換器、８  送風ファン、９  左右風向板、１０  電界生成エレメント、１１  上部フレーム、１２  下部フレーム、１３  取っ手、１４  放電電極、１５  対向電極、１６  高圧電源、１６ａ  高圧電源、１６ｂ  高圧電源、１７  制御部、１８  粒子判定部、１９  記憶部、２０  切替部、１００  本体
【図１】
2014209985.tif 000003
【図２】
2014209985.tif 000004
【図３】
2014209985.tif 000005
【図４】
2014209985.tif 000006
【図５】
2014209985.tif 000007
【図６】
2014209985.tif 000008
【図７】
2014209985.tif 000009
【図８】
2014209985.tif 000010
【図９】
2014209985.tif 000011